(57)【要約】    【課題】加工組立性の向上したモータを提供すること。    【解決手段】ロータコア３２の周面には、複数の巻線収容溝３４が形成されており、その巻線収容溝３４により、複数の凸条のティース３５が互いに平行を保って形成されている。また、巻線収容溝３４は、ロータコア３２の軸方向に対して斜めとなるように形成されている。そして、ロータコア３２の両端面には、絶縁板３６が備えられており、絶縁板３６には、複数のティース部位３６ａが備えられているティース部位３６ａは、ロータコア３２の軸方向と平行に切った断面形状が、台形状となるようにされている。これにより、コイル３７の総巻線長を短くすることができる。【選択図】            図２
2006109532.tif 000002
【特許請求の範囲】
【請求項１】
ロータコアの周面に形成された複数の巻線収容溝が、ロータの軸方向に対して斜めになったスキュー構造が採用されたモータであって、
上記ロータコアの軸方向両端面には、上記ロータコアの端面形状と近似形状の絶縁板が備えられており、
上記ロータコアに形成された上記複数の巻線収容溝により区画された各ティースの端面に当接する上記絶縁板のティース部位は、上記ロータコアの軸方向と平行に切った断面形状が台形になっていることを特徴とするモータ。
【請求項２】
ロータコアの周面に形成された複数の巻線収容溝が、ロータの軸方向に対して斜めになったスキュー構造が採用されたモータであって、
上記ロータコアの軸方向両端面には、上記ロータコアの端面形状と近似形状の絶縁板が備えられており、
上記絶縁板には、上記ロータコアに形成された複数の巻線収容溝により区画された複数のティースの端面に当接するティース部位が、上記ロータの軸方向にみて放射状に備えられており、
各ティース部位における電線の巻きつけ方向を案内するコーナは、その角度が鋭角にならないように、面取りが施されていることを特徴とするモータ。
【請求項３】
請求項１または２に記載のモータと、そのモータ軸に連結されて回転されるファンと、上記ファンにより吸い込まれる空気を案内して上記モータへと導くためのディフューザとを含む電動送風機であって、
上記ディフューザは、上記モータの回転軸方向に組合わされた第１部品および第２部品を有し、組合わされた第１部品および第２部品によって、ファンにより吸い込まれた空気を外方へ案内するための遠心形の流路が形成されており、
上記流路は、組合わせ面に対して上記モータの回転軸方向に対称な断面形状をし、かつ、その断面形状は、上記流路の内方から外方へ向かって徐々に大きくなっていることを特徴とする電動送風機。
【請求項４】
上記第１部品および第２部品は、組合わされたときに互いに当接する当接端面が、一方は凹部、他方は凸部を有し、凹凸が嵌合して組合わされることを特徴とする請求項３に記載の電動送風機。
【請求項５】
請求項１〜４のいずれかに記載のモータであって、当該モータは、ロータが整流子を有する整流子モータであり、
上記整流子に接触するブラシと、
上記ブラシを保持するためのブラシホルダと、
上記ブラシホルダに備えられ、上記ブラシと上記整流子との接触部に異常火花が発生することに伴う温度上昇に応答して切換わる形状記憶合金を含むスイッチと、を有することを特徴とするモータ。
【請求項６】
上記スイッチは、上記モータに供給される電源供給路に直列に接続されており、温度上昇に応答して開成することにより、上記モータへの電源供給を遮断することを特徴する請求項５に記載のモータ。
【請求項７】
上記スイッチは、上記モータの駆動制御回路に接続されており、当該駆動制御回路は、上記スイッチの状態に応じてモータ電源を遮断することを特徴とする請求項５に記載のモータ。
【請求項８】
モータと、そのモータ軸に連結されて回転されるファンと、上記ファンにより吸い込まれる空気を案内して上記モータへと導くためのディフューザとを含む電動送風機であって、
上記ディフューザは、上記モータの回転軸方向に組合わされた第１部品および第２部品を有し、組合わされた第１部品および第２部品によって、ファンにより吸い込まれた空気を外方へ案内するための遠心形の流路が形成されており、
上記流路は、組合わせ面に対して上記モータの回転軸方向に対称な断面形状をし、かつ、その断面形状は、上記流路の内方から外方へ向かって徐々に大きくなっていることを特徴とする電動送風機。
【請求項９】
上記第１部品および第２部品は、組合わされたときに互いに当接する当接端面が、一方は凹部、他方は凸部を有し、凹凸が嵌合して組合わされることを特徴とする請求項８に記載の電動送風機。
【発明の詳細な説明】
【技術分野】
【０００１】
この発明は、モータおよび電動送風機に関する。
【背景技術】
【０００２】
通常、モータは、複数相に巻装されたコイルを備えており、このコイルに電流を流すことでモータ内に磁界が発生する。そして、その磁界を利用してモータ内に備えられたロータが回転される。コイルの巻装としては、コイルをロータの軸方向に対して斜めに巻装するスキュー構造を採用することが知られており、このようなスキュー構造を採用すると、ロータの回転力のムラや振動が低減し、高性能なモータを構成することができる（たとえば、特許文献１参照）。
【特許文献１】特開平２００３−３２９３９号公報
【特許文献２】特許第３１８１１８２号公報
【発明の開示】
【発明が解決しようとする課題】
【０００３】
図７は、従来のスキュー構造を備えたロータ７の構成の一例を示す図である。図７（ａ）は、ロータ７を軸方向と直交する方向にみた図であり、図７（ｂ）は、図７（ａ）の切断線Ｆで切断した図であり、図７（ｃ）は、図７（ｂ）の切断線Ｇで切断した図である。なお、図７（ａ）は、軸心を基準として、一方側に内部構成が示されており、他方側に外観構成が示されている。
【０００４】
ロータ７には、ロータ軸７１と、ロータ軸７１の周囲を取り囲むようにロータ軸７１の中央部に取り付けられたロータコア７２と、ロータ軸７１の周囲を取り囲むようにロータ軸７１の一端に取り付けられた整流子７３とが備えられている（図７（ａ）参照）。
ロータコア７２の周面には、複数の巻線収容溝７４が形成されており、その巻線収容溝７４により、複数の凸条のティース７５が形成されている。
【０００５】
巻線収容溝７４は、ロータコア７２の軸方向に対して斜めとなるように形成されている。（なお、図においては、巻線収容溝７４は、外観上表れないため、点線で示されている。）
また、ロータコア７２の両端面には、絶縁板７６が備えられている。
絶縁板７６は、軸方向にみた形状が、ロータコア７２を軸方向にみた形状と近似するようにされており、その周面に放射状に広がる複数のティース部位７６ａが備えられている（図７（ｂ）参照）。
【０００６】
ティース部位７６ａは、ロータコア７２の軸方向と平行に切った断面形状（図７（ｂ）の切断線Ｇで切った断面形状）が、略平行四辺形状となるようにされており、軸方向において、ロータコア７２のティース７５の端面と当接している(図７（ｃ）参照)。
そして、ロータコア７２の巻線収容溝７４に複数相のコイル７７が巻装されている。このとき、ロータコア７２の両端面の絶縁板７６にもコイル７７が巻装されており、詳しくは、コイル７７は、絶縁板７６のティース部位７６ａの間およびロータコア７２の巻線収容溝７４に巻装されている。
【０００７】
ここで、図７（ｃ）に示すように、絶縁板７６のティース部位７６ａは、その断面形状が略平行四辺形状とされているため、電線の巻きつけ部分が広がり、コイル７７の総巻線長が長くなってしまうといった問題がある。
また、ロータ７の整流子７３には、複数の図示しないブラシが当接され、ブラシおよび整流子７３を介してコイル７７に電流が流されることとなるが、ブラシの摺動不良等により、異常火花が発生して、発煙、発火などを引き起こすことがある。その対策として、たとえば、特許文献２に記載のモータのように、ブラシにハンダによる通電切断装置を設けることが知られているが、ハンダを使用すると、その強度が弱いためにモータの振動により当該装置が外れるといった問題や、加工組立性が悪いといった問題がある。
【０００８】
さらに、ロータ７を用いたモータにファンを備え、電動送風機を構成することができる。この場合、一般的に電動送風機は、ファンにより吸い込まれた空気をガイドするためのディフューザを備えており、ディフューザによりガイドされた空気はモータ内を移動する。
しかし、従来のディフューザは、一部品で構成されるため、吸い込まれた空気が通るディフューザ内の通路の形状が制限され、その通路内を通る空気の圧力分布が均一とならず、空気をガイドする効率が低下するといった問題がある。
【０００９】
この発明は、かかる技術背景のもとになされたものであり、第１の目的は、加工組立性の向上したモータを提供することである。
また、この発明の第２の目的は、空気の流動性が向上した電動送風機を提供することである。
【課題を解決するための手段】
【００１０】
上記目的を達成するための請求項１に記載の発明は、ロータコア（３２）の周面に形成された複数の巻線収容溝（３４）が、ロータ（３）の軸方向に対して斜めになったスキュー構造が採用されたモータ（８）であって、上記ロータコアの軸方向両端面には、上記ロータコアの端面形状と近似形状の絶縁板（３６）が備えられており、上記ロータコアに形成された上記複数の巻線収容溝により区画された各ティース（３５）の端面に当接する上記絶縁板のティース部位（３６ａ）は、上記ロータコアの軸方向と平行に切った断面形状が台形になっていることを特徴とするモータである。
【００１１】
なお、括弧内の英数字は、後述の実施形態における対応構成要素を表す。以下、この項において同じ。
この構成によれば、絶縁板のティース部位は、ロータコアの軸方向と平行に切った断面形状が台形となっているので、たとえば、断面形状が略平行四辺形状の場合と比べて、巻線収容溝に巻装されるコイルの総巻線長を短くすることができる。
【００１２】
請求項２に記載の発明は、ロータコア（３２）の周面に形成された複数の巻線収容溝（３４）が、ロータの軸方向に対して斜めになったスキュー構造が採用されたモータ（８）であって、上記ロータコアの軸方向両端面には、上記ロータコアの端面形状と近似形状の絶縁板（３６）が備えられており、上記絶縁板には、上記ロータコアに形成された複数の巻線収容溝により区画された複数のティース（３５）の端面に当接するティース部位（３６ａ）が、上記ロータの軸方向にみて放射状に備えられており、各ティース部位における電線の巻きつけ方向を案内するコーナは、その角度が鋭角にならないように、面取りが施されていることを特徴とするモータである。
【００１３】
この構成によれば、絶縁板の各ティース部位のコーナは、面取りが施されているので、巻線収容溝に巻装されるコイルの総巻線長を短くすることができる。
請求項３に記載の発明は、請求項１または２に記載のモータ（８）と、そのモータ軸（３１）に連結されて回転されるファン（４）と、上記ファンにより吸い込まれる空気を案内して上記モータへと導くためのディフューザ（５）とを含む電動送風機（１）であって、上記ディフューザは、上記モータの回転軸方向に組合わされた第１部品（５１）および第２部品（５２）を有し、組合わされた第１部品および第２部品によって、ファンにより吸い込まれた空気を外方へ案内するための遠心形の流路（５３）が形成されており、上記流路は、組合わせ面に対して上記モータの回転軸方向に対称な断面形状をし、かつ、その断面形状は、上記流路の内方から外方へ向かって徐々に大きくなっていることを特徴とする電動送風機である。
【００１４】
この構成によれば、ディフューザは、第１部品および第２部品を有しており、ディフューザに形成される流路は、組合わせ面に対して対称な断面形状をしている。また、その断面形状は、外方に向かって徐々に大きくなっている。これにより、流路を通過する空気を均一な圧力に分布に近づけて、空気の流動性を向上することができる。
請求項４に記載の発明は、上記第１部品（５１）および第２部品（５２）は、組合わされたときに互いに当接する当接端面が、一方は凹部（５２１）、他方は凸部（５１１）を有し、凹凸が嵌合して組合わされることを特徴とする請求項３に記載の電動送風機（１）である。
【００１５】
この構成によれば、ディフューザの第１部品と第２部品との間の接触面積を大きくして、第１部品と第２部品との間のシール性を向上することができる。また、第１部品と第２部品との間の接触面に接着剤を塗布しなくても第１部品と第２部品とをシールすることができるので、加工コストを抑えることもできる。
請求項５に記載の発明は、請求項１〜４のいずれかに記載のモータ（８）であって、当該モータは、ロータ（３）が整流子（３３）を有する整流子モータであり、上記整流子に接触するブラシ（６２）と、上記ブラシを保持するためのブラシホルダ（６１）と、上記ブラシホルダに備えられ、上記ブラシと上記整流子との接触部に異常火花が発生することに伴う温度上昇に応答して切換わる形状記憶合金を含むスイッチ（６３）と、を有することを特徴とするモータである。
【００１６】
この構成によれば、ブラシホルダには、形状記憶合金を含むスイッチが備えられているため、異常火花が発生した場合に、温度上昇に応じて自動的にスイッチを切替えることができる。そのため、モータの加工組立性を向上することができる。
また、請求項６に記載の発明のように、上記スイッチ（６３）は、上記モータ（８）に供給される電源供給路に直列に接続されており、温度上昇に応答して開成することにより、上記モータへの電源供給を遮断することを特徴する請求項５に記載のモータであれば、温度上昇に応じて確実にモータへの電源供給を遮断することができる。
【００１７】
また、請求項７に記載の発明のように、上記スイッチ（６３）は、上記モータ（８）の駆動制御回路に接続されており、当該駆動制御回路は、上記スイッチの状態に応じてモータ電源を遮断することを特徴とする請求項５に記載のモータであれば、温度上昇に応じて自動的にモータ電源を遮断することができる。
請求項８に記載の発明は、モータ（８）と、そのモータ軸（３１）に連結されて回転されるファン（４）と、上記ファンにより吸い込まれる空気を案内して上記モータへと導くためのディフューザ（５）とを含む電動送風機（１）であって、上記ディフューザは、上記モータの回転軸方向に組合わされた第１部品（５１）および第２部品（５２）を有し、組合わされた第１部品および第２部品によって、ファンにより吸い込まれた空気を外方へ案内するための遠心形の流路（５３）が形成されており、上記流路は、組合わせ面に対して上記モータの回転軸方向に対称な断面形状をし、かつ、その断面形状は、上記流路の内方から外方へ向かって徐々に大きくなっていることを特徴とする電動送風機である。
【００１８】
この構成によれば、請求項３に記載の発明と同様の効果を奏することができる。
請求項９に記載の発明は、上記第１部品（５１）および第２部品（５２）は、組合わされたときに互いに当接する当接端面が、一方は凹部（５２１）、他方は凸部（５１１）を有し、凹凸が嵌合して組合わされることを特徴とする請求項８に記載の電動送風機である。
【００１９】
この構成によれば、請求項４に記載の発明と同様の効果を奏することができる。
【発明を実施するための最良の形態】
【００２０】
以下では、この発明の実施の形態を、添付図面を参照して詳細に説明する。
図１は、この発明の一実施形態にかかる電動送風機１の構成を示す側面図である。なお、図１では、電動送風機１の軸心を基準として、一方側に内部構成が示されており、他方側に外観構成が示されている。
電動送風機１には、モータ８と、モータ８の軸方向の一端に設けられ、回転することで空気を吸い込むためのファン４と、ファン４により吸い込まれた空気をモータ８内に案内するディフューザ５と、外部に露出するファン４を覆うファンハウジング９とが備えられている。
【００２１】
モータ８には、一端面が閉塞された略円筒形状のモータハウジング２と、モータハウジング２内に収容されたロータ３と、その一部がロータ３に当接するようにモータハウジング２の周面に取り付けられた複数のブラシ体６とが備えられている。
図２は、ロータ３の構成を詳しく示す図であり、図２（ａ）は、ロータ３を軸方向と直交する方向にみた図であり、図２（ｂ）は、図２（ａ）の切断線Ａで切断した図であり、図２（ｃ）は、図２（ｂ）の切断線Ｂで切断した図である。なお、図２（ａ）は、軸心を基準として、一方側に内部構成が示されており、他方側に外観構成が示されている。
【００２２】
ロータ３には、長手のロータ軸３１と、ロータ軸３１の周囲を取り囲むようにロータ軸３１の中央部に取り付けられたロータコア３２と、ロータ軸３１の周囲を取り囲むようにロータ軸３１の一端に取り付けられた整流子３３とが備えられている（図２（ａ）参照）。
ロータコア３２の周面には、複数の巻線収容溝３４が形成されており、その巻線収容溝３４により、複数の凸条のティース３５が互いに平行を保って形成されている。
【００２３】
巻線収容溝３４は、ロータコア３２の軸方向に対して斜めとなるように形成されている。（なお、図においては、巻線収容溝３４は、外観上表れないため点線で示されている。）
また、ロータコア３２の両端面には、絶縁板３６が備えられている。
絶縁板３６は、軸方向にみた形状が、ロータコア３２を軸方向にみた形状と近似するようにされており、その周面に放射状に広がる複数のティース部位３６ａが備えられている（図２（ｂ）参照）。
【００２４】
ティース部位３６ａは、ロータコア３２の軸方向と平行に切った断面形状（図２（ｂ）の切断線Ｂで切った断面形状）が、台形状となるようにされており、軸方向において、ロータコア３２のティース３５の端面と当接している(図２（ｃ）参照)。
そして、ロータコア３２の巻線収容溝３４に複数相のコイル３７が巻装されている。このとき、コイル３７は、絶縁板３６のティース部位３６ａの間およびロータコア３２の巻線収容溝３４に巻装されている。
【００２５】
このように、コイル３７が巻装されているティース部位３６ａは、断面形状が台形状とされているので、図７（ｃ）に示すような断面形状が略平行四辺形状の場合と比べて、コイル３７の総巻線長を短くすることができる。
また、ティース部位３６ａの断面形状は、図２（ｄ）に示す形状であってもよい。すなわち、ティース部位３６ａの電線の巻きつけ方向を案内するコーナは、その角度が鋭角にならないように面取りが施されており、略平行四辺形の一角を面取りした形状とされていてもよい。これにより、上記と同様に、コイル３７の総巻線長を短くすることができる。
【００２６】
図３は、ディフューザ５の構成を示す図であり、図３（ａ）は、第１ディフューザ５１と第２ディフューザ５２とを接合させた状態のディフューザ５を、軸方向と平行な面で切断した断面図であり、図３（ｂ）は、第１ディフューザ５１と第２ディフューザ５２とを分離させた状態のディフューザ５の一部の断面図である。
ディフューザ５は、モータ８の軸方向にみた形状が略円形状とされており、軸方向に組合わされた第１ディフューザ５１と第２ディフューザ５２との２部品で構成されている。また、第１ディフューザ５１と第２ディフューザ５２とが組合わされた状態で、その周縁部に、ディフューザ５の略周方向に延びる複数の流路５３が形成されている（図３（ａ）参照）。
【００２７】
第１ディフューザ５１および第２ディフューザ５２は、ディフューザ５を軸方向と直交する面で切断して分割した構成とされており、第１ディフューザ５１が、軸方向において、モータ８と反対側に位置し、第２ディフューザ５２がモータ８側に位置するようにされている。
また、第１ディフューザ５１の接合面には、後述するように、複数の断面略山形の凸部５１１が形成されており、第２ディフューザ５２の接合面には、複数の断面略谷形の凹部５２１が形成されている（図３（ｂ）参照）。また、凸部５１１と凹部５２１とは、互いに嵌合する形状とされており、ディフューザ５が構成されている状態では、第１ディフューザ５１の凸部５１１と第２ディフューザ５２の凹部５２１とが嵌合している。
【００２８】
流路５３は、第１ディフューザ５１および第２ディフューザ５２の組合わせ面に対して、軸方向に対称な断面形状であって、流路５３の内方から外方に向かって徐々に大きくなっていく形状とされている。
図４は、第１ディフューザ５１の構成を示す図であり、図４（ａ）は、第１ディフューザ５１を軸方向にみた図であり、図４（ｂ）は、図４（ａ）の切断線Ｃで切断した図である。（なお、便宜上、図４（ｂ）に示す第１ディフューザ５１と図３（ａ）に示す第１ディフューザ５１とは、軸方向の向きが逆にされている。）
第１ディフューザ５１は、環状の部材とされており、その環部分に、略周方向に延びる複数の溝５１２が形成されている。
【００２９】
各溝５１２は、第１ディフューザ５１の環部分に渦巻き状に形成されており、第１ディフューザ５１の内周面から外周面にわたって形成されている。各溝５１２は、その断面形状が、溝５１２の内方から外方へ向かって徐々に大きくなる略台形状とされている。そして、各溝５１２によって、複数の第１流路壁５１３が形成されている。
各第１流路壁５１３は、第１ディフューザ５１の環部分に、ほぼ等間隔ごとに略周方向に形成される遠心形とされている。また、第１流路壁５１３の軸方向の開放端には、凸部５１１が凸条に形成されている。
【００３０】
図５は、第２ディフューザ５２の構成を示す図であり、図５（ａ）は、第２ディフューザ５２を軸方向にみた図であり、図５（ｂ）は、図５（ａ）の切断線Ｄで切断した図である。
第２ディフューザ５２は、中央部が内方に凹んだ略円板形状とされており、軸方向にみた形状が、第１ディフューザ５１とほぼ同一形状とされている。そして、その周縁部に、略周方向に延びる複数の溝５２２が形成されている。
【００３１】
各溝５２２は、第２ディフューザ５２の周縁部に渦巻き状に形成されており、第２ディフューザ５２の内周面から外周面にわたって形成されている。各溝５２２は、その断面形状が、溝５２２の内方から外方へ向かって徐々に大きくなる略台形状とされている。そして、各溝５２２によって、複数の第２流路壁５２３が形成されている。
また、第１ディフューザ５１の第１流路壁５１３と、第２ディフューザ５２第２流路壁５２３とは、組合わせ面をみた場合の形状が、互いに鏡像関係となる対称な形状とされている。
【００３２】
各第２流路壁５２３は、第２ディフューザ５２の周縁部に、ほぼ等間隔ごとに略周方向に形成される遠心形とされている。また、第２流路壁５２３の軸方向の開放端には、凹部５１１が凹条に形成されている。
また、第２ディフューザ５２の中央部には、ロータ３のロータ軸３１が挿通される軸孔５２４と、軸孔５２４の両脇に形成された２つのねじ孔５２５とが形成されている。
【００３３】
そして、電動送風機１内において、第２ディフューザ５２の組合わせ面が外方を向くようにして、軸孔５２４に、モータ８のロータ軸３１の端部を挿通し、さらに、ねじ孔５２５にねじを取り付けて、第２ディフューザ５２とモータ８とを固定する。さらに、凸部５１１と凹部５２１とが嵌合するようにして、第１ディフューザ５１と第２ディフューザ５２とを組合わせることで、ディフューザ５が構成される（図３参照）。また、ディフューザ５に形成される流路５３は、遠心形状とされる。
【００３４】
そして、電動送風機１内に設けられた第１ディフューザ５１の環部分の内方および第２ディフューザ５２の中央の凹み部分に、ファン４が、その羽根部分の端部が流路５３に近接するように嵌め込まれ、さらに、第２ディフューザ５２から外方に突出したロータ軸３１に取り付けられることで、ファン４がモータ８に取り付けられる（図１参照）。
これにより、ロータ軸３１が回転されることでファン４が回転して、空気がファン４により吸い込まれ、その吸い込まれた空気は、流路５３を通過して、モータ８内にガイドされる。
【００３５】
このように、ディフューザ５は、第１ディフューザ５１および第２ディフューザ５２を有しており、ディフューザ５に形成される流路５３は、組合わせ面に対して対称な断面形状をしている。また、その断面形状は、外方に向かって徐々に大きくなっている。これにより、流路５３を通過する空気を均一な圧力に分布に近づけて、空気の流動性を向上することができる。
【００３６】
また、第１ディフューザ５１には凸部５１１が形成され、第２ディフューザ５２には凹部５２１が形成されているので、第１ディフューザ５１と第２ディフューザ５２との間の接触面積を大きくして、第１ディフューザ５１と第２ディフューザ５２との間のシール性を向上することができる。また、第１ディフューザ５１と第２ディフューザ５２との間の接触面に接着剤を塗布しなくても第１ディフューザ５１と第２ディフューザ５２とをシールすることができるので、加工コストを抑えることもできる。
【００３７】
なお、上述の説明では、凸部５１１は、第１流路壁５１３に凸条に形成され、凹部５２１は、第２流路壁５２３に凹条に形成されるとしたが、凸部５１１は、第１流路壁５１３から突出片として複数突出するものであってもよく、凹部５２１は、第２流路壁５２３に凹み部として複数窪むものであってもよい。
図６は、ブラシ体６の構成を示す図であり、図６（ａ）は、ブラシ体６を側方からみた図であり、図６（ｂ）は、図６（ａ）の矢印Ｅ方向にみた図である。また、図６（ｃ）は、スイッチ６３が切替わった状態のブラシ体６の構成を示す図である。
【００３８】
ブラシ体６には、ブラシホルダ６１と、その一端がブラシホルダ６１内から突出し、突出端がロータ３の整流子３３の周面に当接する長手のブラシ６２と、ブラシホルダ６１に設けられたスイッチ６３とが備えられている。
ブラシ６２は、断面形状が略矩形状の長手の筒状の部材であって、ブラシホルダ６１に対して、その長手方向に変位可能とされている。また、ブラシ６２は、たとえば、図示しないばねにより突出方向に付勢されており、その一端は、電動送風機１内において、常に、整流子３３を所定の力で押圧している。
【００３９】
スイッチ６３は、ブラシホルダ６１のブラシ６２の突出部分近傍に設けられており、ブラシ６２に近接する接触体６３１と、接点部６３２とが備えられている。
接触体６３１は、緩やかに湾曲した長手の部材とされており、形状記憶合金で形成されている。そして、接触体６３１の一端が、ブラシホルダ６１内に設けられ、かつ、ブラシ６２に電源を供給するための電源供給路（図示せず）の一部に接続されている。そして、その他端には、接点部６３２と接触するための突出片６３１ａが形成されている。また、接触体６３１は、通常の雰囲気温度では、緩やかに延びる図２（ａ）に示す形状を保っている。
【００４０】
接点部６３２は、導電性材料で形成される板状の部材であり、接触体６３１と接触し得るように、接触体６３１近傍に設けられている。そして、接点部６３２の一端は、ブラシホルダ６１内に設けられ、かつ、ブラシ６２に電源を供給するための電源供給路の一部に接続されている。
このように、スイッチ６３は、ブラシホルダ６１内の電源供給路に直列に接続されている。そして、スイッチ６３の雰囲気温度が通常の温度である場合は、接触体６３１の突出片６３１ａが接点部６３２に当接しており、ブラシホルダ６１内の電源供給路の接続状態が維持される。
【００４１】
そして、モータ８を動作させることで、たとえば、整流子３３とブラシ６２との間に過剰な摩擦が生じ、また、異常火花などが発生して、スイッチ６３の雰囲気温度が所定温度以上になると、接触体６３１が自動的に湾曲して、スイッチ６３が開成し、接点部６３２との接触状態を解除する（図６（ｃ）参照）。これにより、ブラシホルダ６１内の電源供給路が遮断され、ブラシ６２への電源供給が停止されて、モータ８の動作が停止される。
【００４２】
このように、ブラシホルダ６１にはスイッチ６３が備えられ、スイッチ６３は、形状記憶合金で形成される接触体６３１を有するため、異常火花が発生した場合に、温度上昇に応じて自動的にスイッチ６３を切替えることができる。そのため、モータ８の加工組立性を向上することができる。
また、スイッチ６３は、電源供給路に直列に接続されており、接触体６３１が温度上昇に応答して開成する構成であるので、温度上昇に応じて確実に電源供給路を遮断することができる。
【００４３】
なお、スイッチ６３は、電源供給路に直列に接続されるものに限らず、たとえば、モータ８を駆動するための駆動制御回路（図示せず）に接続されていてもよい。そして、駆動制御回路が、スイッチ６３の状態に応じて電源を遮断するようにすれば、温度上昇に応じて自動的に電源を遮断することができる。
この発明は、以上説明した実施形態に限定されるものではなく、請求項記載の範囲内において種々の変更が可能である。
【図面の簡単な説明】
【００４４】
【図１】この発明の一実施形態にかかる電動送風機の構成を示す側面図である。
【図２】ロータの構成を詳しく示す図である。
【図３】ディフューザ５の構成を示す図である。
【図４】第１ディフューザの構成を示す図である。
【図５】第２ディフューザの構成を示す図である。
【図６】ブラシ体６の構成を示す図である。
【図７】従来のロータの構成を示す図である。
【符号の説明】
【００４５】
１      電動送風機
３      ロータ
４      ファン
５      ディフューザ
８      モータ
３１    ロータ軸
３２    ロータコア
３３    整流子
３４    巻線収容溝
３５    ティース
３６    絶縁板
３６ａ  ティース部位
５１    第１ディフューザ
５２    第２ディフューザ
５３    流路
６１    ブラシホルダ
６２    ブラシ
６３    スイッチ
５１１  凸部
５２１  凹部
【図１】
2006109532.tif 000003
【図２】
2006109532.tif 000004
【図３】
2006109532.tif 000005
【図４】
2006109532.tif 000006
【図５】
2006109532.tif 000007
【図６】
2006109532.tif 000008
【図７】
2006109532.tif 000009